(57)【要約】【課題】建物基礎部分に良好な通気性を確保し、建物基礎側に湿り気を移すこと無く、その植栽面を地窓に近接して設け得る装飾用植栽装置の提供。【解決手段】屋内側から地窓Ｂｄを介して観賞しうる屋外位置に設置される装飾用植栽装置Ａであって、この装飾用植栽装置Ａが、培土４０を充填し得るように筒状に構成された台部１０と、台部１０の筒状開口端１１ａ上に載せ置かれた該筒状開口端面よりも大きい面積のベースプレート２０とを備えており、ベースプレート２０に前記台部１０の筒状内に連通する穴２１が設けてあり、かつ、該ベースプレート２０が水平な上面部２４’を備えており、このベースプレート２０の水平な上面部２４’が屋内側の床面Ｂｅ’とほぼ同一の高さ位置に設けてある。【選択図】図２
2008104381.tif 000002
【特許請求の範囲】
【請求項１】
屋内側から地窓を介して観賞しうる屋外位置に設置される装飾用植栽装置であって、
この装飾用植栽装置が、培土を充填し得るように筒状に構成された台部と、この台部の筒状開口端上に載せ置かれた該筒状開口端面よりも大きい面積のベースプレートとを備えており、
このベースプレートに前記台部の筒状内に連通する穴が設けてあると共に、該ベースプレートが水平な上面部を備えており、
このベースプレートの水平な上面部が屋内側の床面とほぼ同一の高さ位置に設けてあることを特徴とする装飾用植栽装置。
【請求項２】
前記ベースプレートが石材であることを特徴とする請求項１に記載の装飾用植栽装置。
【請求項３】
前記ベースプレートにおける水平な上面部が平滑面であることを特徴とする請求項１又は請求項２に記載の装飾用植栽装置。
【請求項４】
前記台部が筒状体によって構成してあることを特徴とする請求項１、請求項２又は請求項３に記載の装飾用植栽装置。
【請求項５】
前記台部が、該台部を構成する個々の構成単体の組み付けによって構成される筒状部からなることを特徴とする請求項１、請求項２又は請求項３に記載の装飾用植栽装置。
【発明の詳細な説明】
【技術分野】
【０００１】
この発明は、地窓からの景観を特に良好として、屋内側空間に特有の広がりをもたらす装飾用植栽装置の提供に関し、特に、地窓を介して、床面に連続する植栽面を備える装飾用植栽装置の提案に関する。
【背景技術】
【０００２】
庭に草木を植栽して、屋内側から、これを観賞することが一般になされている。
かかる庭は、例えば、日本庭園風に仕上げたり、洋風庭園風に仕上げる等して、居住者に、特有の癒し効果をもたらす等、多くの効用が期待されている。
【０００３】
また、近時、住宅等の所有者が自らのプランニングによって、個々の居住空間におけるガーデニングをする傾向にあり、より、居住者に都合のよい住空間の演出が試みられている。
【０００４】
かかる点から、適切に花壇をつくるために、ＰＳ樹脂発泡体を素材とする側面断面視において略Ｌ形状を有し、底板部の先端上面に沿った箇所又はその近傍箇所に突条、凹条、突起、傾斜面のいずれかよりなる係止部２ｃを有する見切り材２と、ＰＳ樹脂発泡体を素材としており、側縁に見切り材２の係止部２ｃに対応する被係止部４ｂを有し、上面に複数の保水穴４ｃと排水用小孔４ｅとを有してなる保水プレート４を、複数個用いてシステム花壇を形成する手段が提案されている。（例えば、特許文献１）。
【０００５】
【特許文献１】特開２００４−２４０５３公開特許公報
【発明の開示】
【発明が解決しようとする課題】
【０００６】
しかしながら、かかるシステム花壇を用いて、地窓に近接させて、屋内側の床面に連続するように植栽面を備える花壇を構成することは、例えば、隣地との間にある狭い設置スペース内に当該花壇を設ける必要のある場合に難があり、また、花壇の形成に多くの部材と作業手間を要する不具合があった。
【０００７】
また、このように、地窓に近接して、屋内側から床面に連続するように植栽面を備えて、空間的な広がりを有する花壇を構成する場合、建物基礎に近接して花壇の土留めを設ける必要があり、建物基礎部分における通気の妨げとなる不具合があり、また、建物基礎側に常時湿り気をもたらす等の不具合があった。
【０００８】
この発明は、かかる従前における花壇造りに伴う不具合を解消し、容易に、狭い設置空間内においても効率よく設置することができ、しかも、建物基礎との間に十分な通気空間を備えて、建物基礎部分における良好な通気性を確保し、しかも、建物基礎側に湿り気を移すことが無く、その植栽面を地窓に近接して設け得るようにした装飾用植栽装置の提供を目的にしている。
【課題を解決するための手段】
【０００９】
この発明は、前記課題を解決するために、屋内側から地窓を介して観賞し得る屋外位置に設置される装飾用植栽装置であって、
この装飾用植栽装置が、培土を充填し得るように筒状に構成された台部と、この台部の筒状開口端上に載せ置かれた該筒状開口端面よりも大きい面積のベースプレートとを備えており、
このベースプレートに前記台部の筒状内に連通する穴が設けてあると共に、該ベースプレートが水平な上面部を備えており、
このベースプレートの水平な上面部が屋内側の床面とほぼ同一の高さ位置に設けてあることを特徴とする装飾用植栽装置としてある。
【００１０】
このように構成される装飾用植栽装置にあっては、植栽面とされるベースプレートの水平面が屋内における床面の延長面上に位置づけられ、この結果、屋内側から地窓を介して植栽物を観た際に、植栽風景が、床面に連続した面上に位置づけられ、床面に連続する空間的な拡がりのなかにあるように観賞することができる。
【００１１】
また、ベースプレートを、台部のなす筒状開口端面よりも大きな面積のベースプレートとしてあり、ベースプレートの側縁を地窓に近接させるように当該装飾用植栽装置を設置する際にあっても、その台部を建物の基礎部分から離して設けることができ、この台部から建物基礎側に湿り気が伝わる不具合を生ずることがない。
【００１２】
また、ベースプレートの下方にあって、台部と建物基礎との間に充分な間隙を構成することができ、建物基礎部分における通風を妨げることがない。
【００１３】
また、植栽面をなすベースプレートに対して、台部は比較的狭いスペース内において設置可能であり、隣地との間に設置スペースに限りのある場合にあっても、比較的、容易に、かつ、確実に装飾用植栽装置を設置することができる。
【００１４】
また、植栽面をなすベースプレートに対して、培土の充填される台部が小さいことから、台部の構成材が少なくてすみ、しかも、少ない作業手間で装飾用植栽装置を構成することができる。
【００１５】
ついで、前記構成に係る装飾用植栽装置にあって、前記ベースプレートが石材であることを特徴とする装飾用植栽装置では、前記特長に併せて、より重厚な、趣のある装飾用植栽装置を構成することができる。
【００１６】
また、前記構成に係る装飾用植栽装置にあって、前記ベースプレートにおける水平な上面部が平滑面であることを特徴とする装飾用植栽装置では、この平滑面にもたらされる水が、この平滑面に沿って当該平滑面を覆うように機能し、特有の景観を備える装飾用植栽装置にもたらすことができる。
【００１７】
また、前記構成に係る装飾用植栽装置にあって、前記台部が筒状体によって構成してあることを特徴とする装飾用植栽装置では、前記特長に併せて、装飾用植栽装置を、より、簡易に、かつ、確実に構成することができる。
【００１８】
また、前記構成に係る装飾用植栽装置にあって、前記台部が、該台部を構成する個々の構成単体の組み付けによって構成される筒状部からなることを特徴とする装飾用植栽装置では、前記特長に併せて、設置場所に対応した趣のある装飾用植栽装置を確実に構成することができる。
【発明の効果】
【００１９】
地窓の屋外側に、屋内の床面に連続するように植栽面を設けるようにした装飾用植栽装置を、建物基礎との間に十分な間隙をもって、当該建物基礎部分における換気を損なうことなく、簡易に、かつ、少ない施工手間で構成することができる。
【発明を実施するための最良の形態】
【００２０】
以下、図１〜図６にもとづいて、この発明を実施するための最良の形態に係る装飾用植栽装置Ａについて説明する。
【００２１】
図１〜図５は、当該発明を実施するための最良の形態に係る典型的な装飾用植栽装置Ａを示しており、図１は、当該装飾用植栽装置Ａを建物Ｂの屋外側に備え付けた状態の要部を断面して側方から見て、図２は、この装飾用植栽装置Ａに培土４０を充填して植栽した状態を、図３では、この装飾用植栽装置Ａに培土４０を充填して植栽した要部を断面して前方から見た主要部を、図４は、この植栽された装飾用植栽装置Ａを上方から見て、図５は、この装飾用植栽装置Ａの典型的な構成部品を分離し、かつ、主要な関連設備と共に斜め上方から見て、それぞれ示してある。
【００２２】
また、図６は、当該発明を実施するための最良の形態に係る典型的な他の装飾用植栽装置Ａを示すものであって、、当該装飾用植栽装置Ａを建物Ｂの屋外側に備え付けた状態の要部を断面して側方から見て示している。
【００２３】
この発明を実施するための最良の形態に係る典型的な装飾用植栽装置Ａは、屋内側から地窓Ｂｄを介して観賞し得る屋外位置に設置される装飾用植栽装置Ａであって、
この装飾用植栽装置Ａが、培土４０を充填し得るように筒状に構成された台部１０と、この台部１０の筒状開口端１１ａ上に載せ置かれた該筒状開口端面よりも大きい面積のベースプレート２０とを備えており、
このベースプレート２０に前記台部１０の筒状内に連通する穴２１が設けてあると共に、該ベースプレート２０が水平な上面部２４’を備えており、
このベースプレート２０の水平な上面部２４’が屋内側の床面Ｂｅ’とほぼ同一の高さ位置に設けてある。
【００２４】
なお、前記地窓Ｂｄは、和洋を問わず、通常のリビングルーム、各居室、書斎などの個別の居住空間に備えられる地窓、床の間の壁に備えられる地窓、廊下等の共用の住空間やトイレットや洗面室等の特殊用途の住空間等に備えられる地窓など、いかなる住空間に備え付けられる地窓であってもよい。また、この住空間における床Ｂｅは、板敷きの床、畳敷きの床等、いかなる床であってもよい。
【００２５】
かかる装飾用植栽装置Ａを構成する台部１０は、当該装飾用植栽装置Ａの設置部に設置されて、この台部１０内に培土４０を充填し、この充填培土４０に植物５０の植栽をなし得るように上下方向に貫通する筒状に構成してあれば、いかなる形態に構成してあってもよい。かかる台部１０は、例えば、平面視で角形の筒状に構成してあっても、また、平面視で円形の筒状に構成してあっても、更に、平面視で、任意形状の筒状に構成してあってもよい。
【００２６】
かかる装飾用植栽装置Ａを構成する台部１０は、これを、前もって筒状体に構成用意してあっても、また、当該装飾用植栽装置Ａの設置部において、コンクリートブロック、レンガ等の積み込みや、各種ブロック材や、枠材等の組み付け等、適宜に台部構成単体を組み付けることで構成してあってもよい。
【００２７】
また、この台部１０上に載せ置かれるベースプレート２０は、前記台部１０における筒状開口端１１ａの開口端面よりも大きな面積を備えるものであれば、いかなる形態からなるものであっても、また、いかなる素材によって構成してあってもよい。
また、かかるベースプレート２０は、単一の素材によって構成してあっても、また、複数素材の組み付けによって構成してあってもい。
【００２８】
かかるベースプレート２０は、例えば、前記台部１０上に載せ置かれ得ると共に、この台部１０の筒状開口端面よりも大きい面積を備える盤状体、板状体で都合よく構成することができる。
【００２９】
かかるベースプレート２０に設けられる穴２１は、台部１０の筒状内に連通するように該ベースプレート２０の厚さ方向に貫通して設けてあって、この台部１０の筒状内に充填される培土４０に適宜、植栽目的の植物５０を植栽でき得る構成を備えておれば、いかなる形状、大きさに設けてあってもよく、設けられる一個の穴２１が台部１０における筒状の内側と外側とに同時に連通するように設けてあってもよい。また、このベースプレート２０に設けられる穴２１は、一個であっても、複数個であってもよい。
【００３０】
かかるベースプレート２０に設けられる水平な上面部２４’は、この水平な上面部２４’が屋内側の床面Ｂｅ’とほぼ同一の高さ位置になるように設けてあれば、当該ベースプレート２０における上面２４の全体を水平な上面部２４’として構成してあっても、また、その一部を水平な上面部２４’として構成してあってもよい。
【００３１】
なお、かかる装飾用植栽装置Ａに、植栽植物５０の管理に必要な手段を適宜設け、あるいは、照明手段等を適宜設けて、設置される装飾用植栽装置Ａの機能を増すように構成することができる。例えば、設置される台部１０内に充填される培土４０に適切な湿りをもたらすように間欠的に、あるいは、連続して水分を供給する手段を、当該装飾用植栽装置Ａの外側に設け、あるいは、当該装飾用植栽装置Ａの台部１０内に設けるようにしてあってもよい。
【００３２】
このように構成される装飾用植栽装置Ａにあっては、植栽面とされるベースプレート２０の水平面が屋内における床面Ｂｅ’の延長面上に位置づけられ、この結果、屋内側から地窓Ｂｄを介して植栽物を観た際に、植栽風景が、床面Ｂｅ’に連続した面上に位置づけられ、床面Ｂｅ’に連続する空間的な拡がりのなかにあるように観賞することができる。
【００３３】
また、ベースプレート２０を、台部１０のなす筒状開口端面よりも大きな面積のベースプレート２０としてあり、ベースプレート２０の側縁を地窓Ｂｄに近接させるように当該装飾用植栽装置Ａを設置する際にあっても、その台部１０を建物Ｂの基礎部Ｂａ分から離して設けることができ、この台部１０から建物基礎側に湿り気が伝わる不具合を生ずることがない。
【００３４】
また、ベースプレート２０の下方にあって、台部１０と建物基礎との間に充分な間隙を構成することができ、建物基礎部Ｂａにおける通風を妨げることがない。
【００３５】
また、植栽面をなすベースプレート２０に対して台部１０は、比較的狭いスペース内において設置可能であり、隣地との間に設置スペースに限りのある場合にあっても、比較的、容易に、かつ、確実に装飾用植栽装置Ａを設置することができる。
【００３６】
また、植栽面をなすベースプレート２０に対して、培土４０の充填される台部１０が小さいことから、台部１０の構成材が少なくてすみ、しかも、少ない作業手間で装飾用植栽装置Ａを構成することができる。
【００３７】
また、前記構成に係る装飾用植栽装置Ａにあって、前記ベースプレート２０を石材で構成した装飾用植栽装置Ａは、より重厚な、趣のある装飾用植栽装置Ａを構成することができる。
【００３８】
かかる石材は、各種の石材、例えば、各種の花崗岩等の石材を用いることで、重厚で、かつ、それぞれに趣の異なるベースプレート２０を構成することができる
【００３９】
また、前記構成に係る装飾用植栽装置Ａにあって、前記ベースプレート２０における水平な上面部２４’を、水磨き仕上げ等の各種の仕上げ処理を施した面として構成することができる。かかる上面部２４’は、この上面部２４’に本磨き仕上げ等で艶面をなすように構成された磨き面を平滑面２４”として備えるように装飾用植栽装置Ａを構成することによって、この平滑面２４”にもたらされる水が、当該平滑面２４”に沿って、より円滑に当該平滑面２４”を覆うように機能し、水張り状の、すなわち、水面状の面を当該装飾用植栽装置Ａにもたらし、この水張り面による反射や、この水張り面に写し出される景観等を当該装飾用植栽装置Ａにもたらすことができる。
【００４０】
また、前記構成に係る装飾用植栽装置Ａにあって、前記台部１０が筒状体によって構成してあることを特徴とする装飾用植栽装置Ａでは、前記特長に併せて、装飾用植栽装置Ａを、より、簡易に、かつ、確実に構成することができる。
【００４１】
また、前記構成に係る装飾用植栽装置Ａにあって、前記台部１０が、該台部１０を構成する個々の構成単体１１’ｃの組み付けによって構成される筒状部１１’からなる装飾用植栽装置Ａでは、前記特長に併せて、設置場所に対応した趣のある装飾用植栽装置を確実に構成することができる。
【００４２】
図１〜図５に示される当該発明を実施するための最良の形態に係る典型的な装飾用植栽装置Ａはについて説明する。
【００４３】
この図示例に係る装飾用植栽装置Ａは、屋内側から地窓Ｂｄを介して観賞しうる屋外位置に設置される装飾用植栽装置Ａであって、この装飾用植栽装置Ａが、培土４０を充填し得るように筒状に構成された台部１０と、この台部１０の筒状開口端１１ａ上に載せ置かれた該筒状開口端面よりも大きい面積のベースプレート２０とを備えており、このベースプレート２０に前記台部１０の筒状内に連通する穴２１が設けてあると共に、該ベースプレート２０が水平な上面部２４’を備えており、このベースプレート２０の水平な上面部２４’が屋内側の床面Ｂｅ’とほぼ同一の高さ位置に設けてある。
【００４４】
この図示例に係る装飾用植栽装置Ａを構成する台部１０は、比較的短寸の筒状体１１によって構成してある。かかる筒状体１１は、当該筒状体１１内に培土４０を充填するように設置でき、かつ、開口端１１ａ上にベースプレート２０を載せ置き得るものであれば、いかなる素材によって構成してあっても、いかなる平面視形状に構成してあってもよく、例えば、鉄筋コンクリート造り、繊維補強コンクリート造り等の耐候性を備え、かつ、必要な荷重強度を備えたもの等として用意される。
【００４５】
この図示例にあっては、上下方向に貫通する角筒体、より具体的には、平面視において長方形をなす角筒体によって構成してあり、一方の筒端側を地面Ｃに掘削用意した掘削凹部Ｃａ内に入れ込むように設置すると共に、他方の開口端１１ａにガイド凹部１１ｂを設けてある。この開口端１１ａに備えられるガイド凹部１１ｂは、この図示例にあっては、当該筒状体１１を構成する各辺毎に、互いに向き合うように当該４個のガイド凹部１１ｂが設けてある。また、必要に応じて該筒状体１１の周側壁部に、該筒状体１１の内外を連通するように排水孔１１ｄを設ける。
【００４６】
かかる台部１０と共に装飾用植栽装置Ａを構成するベースプレート２０は、この筒状体１１の開口端面よりも大きい面積のものとして用意されておれば、いかなる素材からなるものであっても、また、いかなる、形状のものであってもよく、この、図示例にあっては、前記筒状体１１の開口端１１ａ上を塞いで、かつ、側方に張り出す形態の、比較的大きめの、かつ、十分な厚さを備える板状体によって構成してある。
【００４７】
かかるベースプレート２０は、例えば、十分な荷重強度を備える厚さに調整された板状の石材、例えば、黒御影等の御影石などの花崗岩等で構成する。
【００４８】
このベースプレート２０は、このベースプレート２０を前記筒状体１１上に載せかけた際に、この筒状体１１における筒状内に連通する穴２１を備えていると共に、この穴２１縁から該ベースプレート２０の周側縁に向けて拡がるように、当該ベースプレート２０の上面２４より一段低く構成された凹部２２を備えた構成としてある。
【００４９】
また、この図示例にあっては、この穴２１及び当該穴２１に連続する凹部２２と不連続の状体に、当該ベースプレート２０の上面２４に当該上面２４より一段低くなるように凹部２３が設けてある。
【００５０】
また、この図示例に係るベースプレート２０にあっては、このベースプレート２０における当該穴２１，凹部２２及び２３を除く上面２４が、建物Ｂの屋内における床Ｂｅの床面Ｂｅ’と、ほぼ同一の高さ位置になるように設置、用いうるように構成される。
【００５１】
このベースプレート２０は、このベースプレート２０における上面２４が、典型的には、水平な上面部２４’を構成するように備え付けられる。また、かかる、水平な上面部２４’は、更に、各種の磨き処理の施された磨き面、より典型的には本磨き仕上げの施された磨き面として構成される平滑面２４”をなすように構成される。
【００５２】
かかる装飾用植栽装置Ａを構成する筒状体１１及びベースプレート２０を、この装飾用植栽装置Ａを構成する該ベースプレート２０が水平な上面部２４’を備え、しかも、この水平な上面部２４’が屋内側の床面Ｂｅ’とほぼ同一の高さ位置になるようにして、屋内側から地窓Ｂｄを介して観賞しうる屋外位置に設置する。
【００５３】
かかる装飾用植栽装置Ａは、建物Ｂにおける屋外側、より具体的には、外壁Ｂｃで仕切られている屋内側にある床Ｂｅに連続して設けられている地窓Ｂｄの屋外側に、当該屋内側の床面Ｂｅ’に前記ベースプレート２０における水平な上面部２４’が連続するように設置する。
【００５４】
なお、この図示例にあっては、建物Ｂにおける外壁Ｂｃの下部に、床Ｂｅの床面Ｂｅ’と面一状体に敷居を備える地窓Ｂｄを備えており、障子戸Ｂｄ”及びサッシ戸Ｂｄ’とを備え地窓Ｂｄとして構成してある。
【００５５】
かかる地窓Ｂｄの屋外側の地面Ｃを掘削して掘削凹部Ｃａを設けると共に、この掘削凹部Ｃａ内に割栗石Ｃｂを敷き込み、これに適宜、砂利Ｃｃを敷き並べて、装飾用植栽装置Ａの設置地面レベルの調整をし、これに、前記筒状体１１を載せ置き、掘削凹部Ｃａの周側方を埋め戻して当該筒状体１１を起立状態に固定する。
【００５６】
この筒状体１１の設置において、この筒状体１１の開口端１１ａ上に載せ置かれるベースプレート２０における水平な上面部２４’が、前記床面Ｂｅ’の面とほぼ同一面内に位置するようになす。
【００５７】
また、この設置筒状体１１と、建物Ｂにおける基礎部Ｂａとの間に十分な通風のための間隙が構成されるようにする。
【００５８】
このように設置された筒状体１１に対して、この筒状体１１における排水孔１１ｄに向けて散布した灌水を案内し得る位置に割栗石相応の砕石４１を入れ込み、適宜の排水層を構成した後、植栽対象植物の植栽に都合のよい培土４０を充填する。
【００５９】
このように設置された筒状体１１の開口端１１ａ上に、前記ベースプレート２０を載せ置く。ここで筒状体１１に載せ置かれるベースプレート２０は、このベースプレート２０における水平な上面部２４’が、屋内における床Ｂｅの床面Ｂｅ’と、ほぼ同一の高さとなり、しかも、この上面部２４’が、水平をなすように、調整片３０で調整する。
【００６０】
この調整片３０は、断面形状が、差し込み先端側で鋭角をなす三角形状の板状材、すなわち、差し込み先端側で漸次肉薄となる板状片としてあって、前記筒状体１１に乗せ置かれたベースプレート２０と、当該筒状体１１との間に、前記ガイド凹部１１ｂに差し込み先端側を差し入れるようにした後、当該筒状体１１の開口端１１ａの各辺部に備えられている各ガイド凹部１１ｂに差し込まれた各調整片３０を、ガイドプレートにおける水平な上面部２４’が水平となるように、打ち込み調整する。
【００６１】
このように備え付けられる装飾用植栽装置Ａにおける筒状体１１に充填した培土４０に前もって植栽すると共に当該植栽植物５０を穴２１から受け入れるように該筒状体１１にベースプレート２０を載せ置き、または、この筒状体１１に載せ置かれたベースプレート２０の穴２１から対象植栽植物５０を植栽し、このベースプレート２０における前記穴２１を含む面、特に、前記凹部２２内に、山脈状、丘状等の適宜の形状に盛土４０ａをなし、これに、必要な植物の植栽や苔などをのせつけて、目的とする景観を構成する。かかる盛土４０ａをなす際に、当該盛土４０ａの周縁部分を凹部２２に納め入れ、盛土４０ａの縁を画然とした態様に設けることができる。
【００６２】
かかる装飾用植栽装置Ａの側方にたて水栓６０を設け、このたて水栓６０を用いて、当該装飾用植栽装置Ａに水を供給する。このたて水栓６０は、水栓６２を備える給水管６１を化粧カバー６３で覆って構成してあり、この図示例にあっては、前記の独立している凹部２３に水を滴下するようにしてある。
【００６３】
このように、凹部２３に滴下される水は、この凹部２３内にあって、特有の波紋を順次に形成し、水紋特有の景観を当該装飾用植栽装置Ａにもたらすことができる。
【００６４】
また、この凹部２３に滴下される水は、この凹部２３内から溢れだして、ベースプレート２０における水平な上面部２４’に沿って該面２４’を覆うように均一に拡散して特有の水濡れ状体の景観を当該装飾用植栽装置Ａにもたらすことができ、穴２１を介して培土４０の植栽植物５０に必要な水分の補給をなすことができる。
【００６５】
また、この凹部２３に滴下された水は、前記上面部２４’を各種磨き仕上げの施された磨き面、より典型的には、本磨き仕上げの施された磨き面からなる平滑面２４”とすることによって、より確実に、当該平滑面２４”を伝わって水張り状体の景観を当該装飾用植栽装置Ａにもたらすように機能する。かかる装飾用植栽装置Ａにあっては、例えば、湖に浮かぶ植栽された島の景観等を確実に作り出すことができる。
【００６６】
また、このように構成される装飾用植栽装置Ａにあっては、筒状体１１と建物Ｂの基礎部Ｂａとの間に、当該基礎部Ｂａの湿りだしを防止するに十分な通気路を構成することができる。
【００６７】
なお、この図示例にあっては、かかる装飾用植栽装置Ａにおける景観を、更に効果的に演出し得るように、当該装飾用植栽装置Ａの前方、すなわち、屋内側から見た際に、当該装飾用植栽装置Ａの後方に目隠し７０を立設して、この目隠し７０によって、装飾用植栽装置Ａを纏まった一つの独立した景観として構成するようにしてある。
【００６８】
ついで図６に示される当該発明を実施するための最良の形態に係る他の典型的な装飾用植栽装置Ａについて説明する。
【００６９】
この図示例に係る装飾用植栽装置Ａは、屋内側から地窓Ｂｄを介して観賞しうる屋外位置に設置される装飾用植栽装置Ａであって、この装飾用植栽装置Ａが、培土４０を充填し得るように筒状に構成された台部１０と、この台部１０の筒状開口端１１ａ上に載せ置かれた該筒状開口端面よりも大きい面積のベースプレート２０とを備えており、このベースプレート２０に前記台部１０の筒状内に連通する穴２１が設けてあると共に、該ベースプレート２０が水平な上面部２４’を備えており、このベースプレート２０の水平な上面部２４’が屋内側の床面Ｂｅ’とほぼ同一の高さ位置に設けてあり、しかも、前記台部１０を、該台部１０を構成する個々の構成単体１１’ｃの組み付けによって構成してある。
【００７０】
この図６に示される装飾用植栽装置Ａは、前記図１〜図５において示される装飾用植栽装置Ａにおける筒状体１１に対して、台部１０を構成する筒状部１１’を、当該装飾用植栽装置Ａの設置現場において組み付け構成するものであって、この筒状部１１’を、レンガ、コンクリートブロック等の複数個の構成単体１１’ｃの積み込み等によって構成する以外の構成を前記装飾用植栽装置Ａの構成と同一又は実質的に同一に構成してある。
【００７１】
従って、前記図１〜図５に示される装飾用植栽装置Ａの構成と同一又は実質的に同一の構成部分には同一の番号を付して、その説明を省略する。
【００７２】
かかる筒状部１１’は、前記地面Ｃの掘削凹部Ｃａ内に敷き並べた割栗石Ｃｂに砂利Ｃｃを敷き込み、これに、各構成単体１１’ｃを、筒状、この図示例にあっては、平面視で角筒状をなすように、順次に積み込んで所定高さの筒状部１１’を構成する。
【００７３】
このように構成される筒状部１１’の開口端１１’ａ上に、モルタル等の調整手段を介してベースプレート２０を、当該ベースプレート２０における上面２４の水平な上面部２４’が、屋内における床Ｂｅの床面Ｂｅ’の高さ位置となるように載せ置いて、図１〜図５におけると同様に装飾用植栽装置Ａを構成する。
【００７４】
このように構成される装飾用植栽装置Ａにあっては、前記図１〜図５において示される装飾用植栽装置Ａにおけると同様の効果を構成される装飾用植栽装置Ａにもたらすことができ、構成単体１１’ｃの選択によって、それぞれに目的とする趣のある筒状部１１’を構成して、装飾用植栽装置Ａに特有の趣をもたらすことができる。
【図面の簡単な説明】
【００７５】
【図１】典型的な装飾用植栽装置の設置状態を示す要部断面図
【図２】これに培土を充填して植栽した状態を示す要部断面図
【図３】これを異なった位置で断面して要部を示す要部断面図
【図４】同平面図
【図５】同要部部品を分離して、主要な関連設備と共に示す要部斜視図
【図６】他の典型的な装飾用植栽装置に培土を充填して植栽した状態を示す要部断面図
【符号の説明】
【００７６】
Ａ  装飾用植栽装置
Ｂ  建物
Ｂｄ  地窓
Ｂｅ’  床面
１０  台部
１１  筒状体
１１’  筒状部
２１  穴
２４  上面
２４’  上面部
２４”  平滑面
【図１】
2008104381.tif 000003
【図２】
2008104381.tif 000004
【図３】
2008104381.tif 000005
【図４】
2008104381.tif 000006
【図５】
2008104381.tif 000007
【図６】
2008104381.tif 000008